(57)【要約】      （修正有）【課題】使用者の視力の強弱に拘わらず鮮明な模様を楽しむことができる万華鏡を提供する。【解決手段】一定長さの円筒体と、円筒体内に、その長さ方向に向けて装入され、互いに所定の角度をもって対面させた複数枚の鏡面体と、円筒体の一端に設けたところの軸線方向に透視可能で、内部に少なくとも複数の模様素材を移動自在に装入したルーズタンクと、円筒体の他端に設けたところの、同じく軸線方向に透視可能であってルーズタンク方向に移動可能なズーム機構とからなる。【選択図】図１
0003163341.tif 000002
【実用新案登録請求の範囲】
【請求項１】
一定長さの円筒体と、該円筒体内に、その長さ方向に向けて装入され、互いに所定の角度をもって対面させた複数枚の鏡面体と、上記円筒体の一端に設けたところの軸線方向に透視可能で、内部に少なくとも複数の模様素材を移動自在に装入したルーズタンクと、円筒体の他端に設けたところの、同じく軸線方向に透視可能であって上記ルーズタンク方向に移動可能なズーム機構とからなる万華鏡。
【請求項２】
一定長さの円筒体と、該円筒体内に、その長さ方向に向けて装入され、互いに所定の角度をもって対面させた複数枚の鏡面体と、上記円筒体の一端に設けたところの軸線方向に透視可能で、内部に少なくとも複数の模様素材を移動自在に装入したルーズタンクと、円筒体の他端に設けたところの、同じく軸線方向に透視可能であって上記ルーズタンク方向に移動可能なズーム機構とからなり、前記ルーズタンクは少なくともその一部を開閉可能に構成され、模様材を装入・交換自在としてなる万華鏡。
【考案の詳細な説明】
【技術分野】
【０００１】
本考案は、万華鏡の改良に関し、使用者の視力の如何を問わずに鮮明な絵柄模様を楽しむことができ、また模様素材についても簡便に追加・交換を可能にすることを目的とする。
【背景技術】
【０００２】
万華鏡は古くから広く愛用されているが、その構造については概ね以下のようなものが知られている。たとえば内面を鏡面とした四角以上の多角形の筒状鏡を筒体内に入れるとともに、該筒体の一方の端部に覗き穴を設けるとともに、他方の端部に、内部に大小多数の着色粒体や人間、動物の顔等を収納した収納器を取り付けて該収納器内部を多角形の筒状鏡の対角線による区画壁によって区画するようにしたもの（実開平３−２４６２５号公報参照）が知られている。
【０００３】
また内部に平面鏡を配した筒体の一方に覗き穴を、また他方に内部に粘性のある油等の液体を充填するとともに多数の小片と球体等からなる模様素材を収納してなる透明筒状の収納室を、上記筒体に対して回動自在に取り付けることにより覗き窓から見える模様全体が明るく、鮮明な色彩を楽しむことができるようにしたもの（実開平５−２９０１８号公報参照）も知られている。
【先行技術文献】
【特許文献】
【０００４】
【特許文献１】実開平３−２４６２５号公報
【特許文献２】実開平５−２９０１８号公報
【考案の概要】
【考案が解決しようとする課題】
【０００５】
しかしながら、上記に例示した特許文献１あるいは特許文献２に開示された万華鏡をはじめとし、汎用のものにあっては使用する者の標準的な視力に合わせて作られているために、近視度の強い者でも、また遠視度の強い者でも絵柄模様がぼやけてしまうために、あまり細かい模様素材を用いるのは難しいという問題があった。
【課題を解決するための手段】
【０００６】
上記の課題を解決するために、本考案においては使用する者の視力差に関係なく簡単にしかも鮮明な絵柄模様を楽しむことができるようにしたものであって、具体的には一定長さの円筒体と、該円筒体内に、その長さ方向に向けて装入され、互いに所定の角度をもって対面させた複数枚の鏡面体と、上記円筒体の一端に設けたところの軸線方向に透視可能で、内部に少なくとも複数の模様素材を移動自在に装入したルーズタンクと、円筒体の他端に設けたところの、同じく軸線方向に透視可能であって上記ルーズタンク方向に移動可能なズーム機構とからなる万華鏡に関する。
【０００７】
また、本考案は一定長さの円筒体と、該円筒体内に、その長さ方向に向けて装入され、互いに所定の角度をもって対面させた複数枚の鏡面体と、上記円筒体の一端に設けたところの軸線方向に透視可能で、内部に少なくとも複数の模様素材（装飾材）を移動自在に装入したルーズタンクと、円筒体の他端に設けたところの、同じく軸線方向に透視可能であって上記ルーズタンク方向に移動可能なズーム機構とからなり、前記ルーズタンクは少なくともその一部を開閉可能に構成され、模様材を装入・交換自在としてなる万華鏡にも関する。
【考案の効果】
【０００８】
本考案は上記したように、覗き穴の部分を模様素材の入ったルーズタンクに向けて進退自在のズーム機構としたために、覗き穴の部分をルーズタンクに向けて自在に進退調整することにより近視や遠視など使用者の視力度如何に拘わらず、十分に鮮明な絵柄模様を楽しむことができる。
【０００９】
また、ルーズタンクの少なくとも一部を開閉可能とすることによって、使用中の絵柄模様に飽きた場合には別の模様素材を追加し、あるいは交換して引き続き使用することができるばかりでなく、身辺で使用していた各種のアクセサリーをそのままで、あるいは細かく粉砕してルーズタンク内に装入して用いることも可能となり、鮮明でしかも変化に富む絵柄が得られることから趣向範囲を広範に拡大することができる。
【図面の簡単な説明】
【００１０】
【図１】本考案の一実施例である万華鏡の拡大断面図。
【図２】図１におけるＡーＡ線矢視方向の断面図。
【図３】図1にあらわした万華鏡の両端部を分解した断面図。
【考案を実施するための形態】
【００１１】
以下において本考案の実施の形態について詳細に説明をする。図１は本考案に係る万華鏡の断面構造を拡大してあらわし、さらに図３はその両端部を分解してあらわしたもので、１は円筒体、４は鏡面体、５はルーズタンク、１１はズーム機構をあらわしている。円筒体１はその軸線方向に向けて一定の長さを有しており、片側の端部には外周方向に向けて突出させたフランジ２を有するとともに、反対側の端部には外周面に雄螺旋溝３が形成されている。
【００１２】
鏡面体４は上記の円筒体１内に、その長さ方向に向けて装入可能でしかも円筒体１よりは後記するルーズタンク５の形成分だけ少し短い長さの大きさであって、2枚の平坦な鏡面体４ａ，４ｂ，を断面がＶ字状に構成された鏡面体保持体４ｃの内側面に接着剤等を介して相互の片側端部を略接近させるとともに、反対側端部を互いに隔離させるべく鏡面体保持体４ｃの内側形状に合わせて互いに所定の角度をもって対面させた状態で保持させている。
【００１３】
なお本実施例においては２枚の鏡面体４ａ，４ｂ，をもって断面がＶ字状になるように構成しているが、３枚あるいは４枚以上の鏡面体を円筒体１内において互いに一定の角度をもって対面させるようにしてもよい。さらにここで用いられる鏡面体については必ずしもガラス製の鏡面に限らない。例えば金属板の表面に鍍金を施したものや、あるいは表面表面光沢のあるステンレスその他のある程度光反射能力、つまり鏡面性のあるものであれば用いることが可能である。
【００１４】
ルーズタンク５は、上記円筒体１の一端に鏡面体４に隣接して一定幅の円環５ａを嵌め込むことにより設けられ、片側の鏡面体４の端部との間にはレンズ６を介して軸線方向に透視可能で、しかも円環５ａのもう一方の開口面はレンズ１０を取り付けた蓋体７により塞がれて密閉空間のルーズタンク５が形成され、その内部には少なくとも複数の模様素材Ｄがそれぞれ移動自在に装入される。
【００１５】
なお蓋体７は略環状をなし、片側開口端に内方に向けて突出させたフランジ７ａを有しこれによって透窓８が形成されているとともに、内周面には円筒体１の雄螺旋部３に螺合可能な雌螺旋溝９が形成されており、しかも上記透窓８は内側にフランジ７ａに保持させたレンズ１０によって塞がれている。
【００１６】
ズーム機構１１は円筒体１の他側端に設けられている。具体的にはズーム機構１１は一定の幅Ｐ２を有した環状体１２と、該環状体１２の片側に、レンズ１９を介して取り付けられるところの中央部に覗き穴１８を有した蓋体１５とからなり、環状体１２の片側端には円筒体１のフランジ２の側面に当接可能なように内方に向けて突出させたフランジ１３を有するとともに、反対側端には内周面に雌螺旋溝１４が刻設されている。
【００１７】
なお蓋体１５には、ズーム機構１１の内周側に向けて側方に突出させ、しかもその外周面に雄螺旋部１７を刻設したフランジ１６が設けられており、これをズーム機構１１の雌螺旋溝１４に螺入させて取り付けることができる。
【００１８】
該雌螺旋溝１４とフランジ１３との間には前記した円筒体１のフランジ２が遊嵌されて使用者の視力差を吸収して鮮明な絵柄を楽しむことができるだけの覗き穴１８とルーズタンク５との距離を調整するために十分なフランジ２の軸方向移動最大距離Ｐ１を確保しており、しかも軸線方向に透視可能であって軸線方向、すなわち上記ルーズタンク５方向に向けて移動可能に構成されている。
【００１９】
またルーズタンク５は円筒体１の雄螺旋部３に対して蓋体７を反時計方向に回転させることにより簡単に取り外してルーズタンク５内を開口させることができ、模様素材Ｄを追加し、あるいは内部の模様素材Ｄを別の模様素材Ｄに簡単に交換した後再度蓋体７を取り付けて追加または交換をすることができる。
【００２０】
なお本実施例においては蓋体７およびレンズ１０を取り外すことにより模様素材Ｄを追加・交換することができるようにしたが、このほかにもたとえば円筒体１のルーズタンク５に対応する部分、および円環５ａの一部に穴を開設しておき、蓋体７を取り外すことによって、上記した円筒体１のルーズタンク５に対応する部分、および円環５ａの一部に開設した穴を開放し、この穴から模様素材Ｄを出し入れすることができるように構成してもよい。
【００２１】
なお模様素材（装飾素材）Ｄは、例えばダイヤモンドやエメラルド、ルビー、トパーズその他の宝石類の粒、あるいは光沢のある貴金属類小片、さらには単純なガラス小片など、どのようなものでも用いることができる。また図中において２０は円筒体１の外周面に沿って長さ方向に自在に移動可能に取り付けた環状の吊下げ金具をあらわしており、その一部に溶着した係止環２０ａに細い金属チェーンやワイヤーあるいは紐等適宜の環状をした吊下げ手段を引き通して首に掛けて随時万華鏡を楽しむことができる。
【００２２】
上記した構成において、使用時に片側の覗き穴１８より覗きつつルーズタンク５に対してズーム機構１１を円筒体１に沿って軸方向移動最大距離Ｐ１の範囲内において進退移動させつつ画像が鮮明となるまで移動させ、その位置において円筒体１を回転させつつルーズタンク５内の模様素材Ｄを移動させながらレンズ１９およびレンズ６を通して鏡面体４によって反射される絵柄模様を楽しむことができる。
【符号の説明】
【００２３】
１        円筒体
２        フランジ
３        雄螺旋部
４        鏡面体
４ａ      鏡面板
４ｂ      鏡面板
４ｃ      鏡面体保持体
５        ルーズタンク
６        レンズ
７        蓋体
７ａ      フランジ
８        透窓
９        雌螺旋溝
１０      レンズ
１１      ズーム機構
１２      環状体
１３      フランジ
１４      雌螺旋溝
１５      蓋体
１６      フランジ
１７      雄螺旋部
１８      覗き穴
１９      レンズ
２０      吊下げ金具
２０ａ    係止環
Ｐ１      軸方向移動最大距離
Ｐ２      一定幅のズーム機構
Ｄ        模様素材
【図１】
0003163341.tif 000003
【図２】
0003163341.tif 000004
【図３】
0003163341.tif 000005